(57)【要約】【課題】外部操作型の制御盤の中蓋に操作部を設け、且つ蓋を操作部を有しないものに変更することにより、制御盤の構成部材を大きく変更することなく、内部操作型のセキュリティの高い制御盤を簡単且つ廉価に製作することができる制御盤を提供する。【解決手段】開口部１１に開閉自在な蓋３を備えた箱体２内に、後壁８に対向し配線空間Ｓを形成して、電装機器類１３を備えた取付板１４を取付けると共に、該取付板１４の前方で電装機器類１３を覆う中蓋２１と、該電装機器類１３を操作する操作部３０とを設けた制御盤であって、上記蓋３と中蓋２１を、操作部３０を外部から操作可能なように蓋３に取付ける蓋３及び中蓋２１の組合せと、操作部３０が蓋３を閉じた状態で蓋３により外部からカバーされるように中蓋２１に取付けられる蓋３及び中蓋２１の組合せとを備え、いずれかの組合せを選択することにより操作部３０を蓋３又は中蓋２１のいずれかに選択取付可能に構成する。【選択図】図４
2008301689.tif 000002
【特許請求の範囲】
【請求項１】
開口部（１１）に開閉自在な蓋（３）を備えた箱体（２）内に、後壁（８）に対向し配線空間（Ｓ）を形成して、電装機器類（１３）を備えた取付板（１４）を取付けると共に、該取付板（１４）の前方で電装機器類（１３）を覆う中蓋（２１）と、該電装機器類（１３）を操作する操作部（３０）とを設けた制御盤であって、上記蓋（３）と中蓋（２１）を、操作部（３０）を外部から操作可能なように蓋（３）に取付ける蓋（３）及び中蓋（２１）の組合せと、操作部（３０）が蓋（３）を閉じた状態で蓋（３）により外部からカバーされるように中蓋（２１）に取付けられる蓋（３）及び中蓋（２１）の組合せとを備え、いずれかの組合せを選択することにより操作部（３０）を蓋（３）又は中蓋（２１）のいずれかに選択取付可能に構成した制御盤。
【請求項２】
電装機器類（１３）を取付支持する取付板（１４）の両側に、箱体（２）の側壁（９）との間に配線空間（Ｓ）を有して仕切壁（１６），（１６）を立設し、該仕切壁（１６），（１６）の間に中蓋（２１）を設けて電装機器類（１３）を覆う請求項１の制御盤。
【請求項３】
箱体（２）に対し、電装機器類（１３）を取付ける取付板（１４）を、ブレーカ（２３）を取付けるブレーカ取付座（２４）と別体として取付けると共に、電装機器類（１３）を覆う中蓋（２１）にブレーカ操作用のブレーカ孔（２６）を穿設した請求項１又は２の制御盤。
【請求項４】
箱体（２）を上下で対をなすように重ねて組合せ、上側の箱体（２）の底壁（７）と、下側の箱体（２）の天壁（６）とに電線を通す通し孔（７ａ）を穿設し、上側の箱体（２）と下側の箱体（２）を接続する請求項１又は２又は３の制御盤。
【発明の詳細な説明】
【技術分野】
【０００１】
本発明は、建物のゲートに設置されるシートシャッタや電柱に設置される制御盤等に採用することができる制御盤に関する。
【背景技術】
【０００２】
従来、屋外の電柱や地上等に設置され、開口部に開閉自在な蓋を備えた箱体内で、後壁に対向し配線空間を有して設置される取付板の表面側に電装機器類を取付けると共に、上記蓋に電装機器類を外部から操作する操作部を設けた制御盤（電装機器類の収納装置）は、特許文献１で示されるように既に公知である。
【特許文献１】特開２００２−８４０８４号公報
【発明の開示】
【発明が解決しようとする課題】
【０００３】
上記特許文献１の制御盤は、施錠が故意に破壊されて蓋が無理に開けられた場合に、内部の電装機器類が直接正面側に開放されるため、電装機器類の破壊を簡単に許容したり、部品類の盗難を招き易くセキュリティに劣る欠点がある。
また複数の制御盤を上下に並べて省スペースで設置したい場合に、制御盤は上下に密着させて接合する構造を備えていないため、上下方向の隣接間隔を必要としたり、両者を接続する電線が外部に露出する等の問題がある。
【課題を解決するための手段】
【０００４】
上記課題を解決するための本発明の制御盤は、第１に、開口部１１に開閉自在な蓋３を備えた箱体２内に、後壁８に対向し配線空間Ｓを形成して、電装機器類１３を備えた取付板１４を取付けると共に、該取付板１４の前方で電装機器類１３を覆う中蓋２１と、該電装機器類１３を操作する操作部３０とを設けた制御盤であって、上記蓋３と中蓋２１を、操作部３０を外部から操作可能なように蓋３に取付ける蓋３及び中蓋２１の組合せと、操作部３０が蓋３を閉じた状態で蓋３により外部からカバーされるように中蓋２１に取付けられる蓋３及び中蓋２１の組合せとを備え、いずれかの組合せを選択することにより操作部３０を蓋３又は中蓋２１のいずれかに選択取付可能に構成したことを特徴としている。
【０００５】
第２に、電装機器類１３を取付支持する取付板１４の両側に、箱体２の側壁９との間に配線空間Ｓを有して仕切壁１６，１６を立設し、該仕切壁１６，１６の間に中蓋２１を設けて電装機器類１３を覆うことを特徴としている。
【０００６】
第３に、箱体２に対し、電装機器類１３を取付ける取付板１４を、ブレーカ２３を取付けるブレーカ取付座２４と別体として取付けると共に、電装機器類１３を覆う中蓋２１にブレーカ操作用のブレーカ孔２６を穿設したことを特徴としている。
【０００７】
第４に、箱体２を上下で対をなすように重ねて組合せ、上側の箱体２の底壁７と、下側の箱体２の天壁６とに電線を通す通し孔７ａを穿設し、上側の箱体２と下側の箱体２を接続することを特徴としている。
【発明の効果】
【０００８】
本発明の制御盤は次のような効果を奏する。箱体内で後壁に配線空間を有して取付け、蓋に操作部を設けて電装機器類を外部から操作するように制御盤を構成する第１使用態様と、この制御盤の中蓋に操作部を設け、且つ蓋を操作部を有しない第２使用態様のものに変更することにより、前記第１使用態様の制御盤の構成部材を大きく変更することなく兼用し、第２使用態様として内部操作型のセキュリティの高い制御盤を簡単且つ廉価に構成することができる。
【０００９】
電装機器類を取付ける取付板の両側に仕切壁を立設し、該仕切壁の間に電装機器類を覆う中蓋を設けることにより、電装機器類を中蓋と取付板と両側の仕切壁で囲んで配線空間を形成するので、電装機器類を広い配線空間内に配線した電線磁場から保護することができると共に、セキュリティの高い構造にすることができる。
【００１０】
電装機器類の取付板を、ブレーカ取付座と別体として取付けることにより、動力線が接続されるブレーカを外すことなく、電装機器類を取付板と共に簡単に外すことができるので、電装機器類のメンテナンス作業を能率よく行うことができる。また電装機器類を覆う中蓋によって、ブレーカの操作を妨げることなくブレーカを同時に覆うことができる。
【００１１】
上側の箱体の底壁と下側の箱体の天壁とに、電線を通す通し孔を穿設して上側の箱体と下側の箱体を接続することにより、電線を箱体の外部に露出することなく通し孔を介して、上側の箱体と下側の箱体の配線空間内に纏めて配線することができる。また下側の箱体の天壁を上側の底壁と同じものに変更するだけで上側の箱体と下側の箱体を接続するので、兼用部品を高め簡単且つ廉価に構成することができる。
【発明を実施するための最良の形態】
【００１２】
本発明の一実施形態を図面に基づいて説明する。図１は本発明に係わる制御盤１をシートシャッタに採用した使用例を示す斜視図である。図２は図１の制御盤１の第1使用態様を示す全体斜視図である。図３は上記第1使用態様の制御盤１を箱体２を共通とし蓋３を変更した第２使用態様を示す斜視図である。図４は制御盤１の上記第１使用態様の構成を示す分解斜視図である。図５は制御盤１の第２使用態様の構成を示す分解斜視図である。図６は第1使用態様の制御盤１の蓋３を開いた構成を示す正面図である。
【００１３】
図７は第２使用態様の制御盤１の蓋３を開いた構成を示す正面図である。図８は制御盤１の第１使用態様の構成を示す側断面図である。図９は制御盤１の第２使用態様の構成を示す側断面図である。図１０は制御盤の第１使用態様の構成を示す平断面図である。図１１は制御盤の第２使用態様の構成を示す平断面図である。図１２は制御盤１を上下に接続し蓋３を開けた状態を示す正面図である。
【００１４】
先ず第1使用態様に係る制御盤１について、図２，図４，図６，図８，図１０を参照し説明する。図１に示すようにこの実施形態における制御盤１は、例えば建物のゲート部に設置される第１シートシャッタ４と第２シートシャッタ５にそれぞれ設置され、この複数の制御盤１，１を同じ箇所に上下に連ねて後述する構成によって接続している。
これにより複数の制御盤１，１は、ゲート部の一側方でコンパクトに纏めて省スペースで設置し、各制御盤１の操作を簡単且つ迅速に行うことができる構成としている。
【００１５】
この制御盤１は図２，図４，図６，図８で示すように、天壁６と底壁７と後壁８と左右の側壁９とによって正面に開口部１１を有する方形状の箱体２に、右方の側壁９に蝶番等のヒンジ部１２ａを介して開口部１１を開閉自在に閉鎖する蓋３を取付けている。
上記蓋３は、左方の側壁９に施錠手段１２を介し施錠閉鎖することができる。
【００１６】
実施形態の箱体２は、後壁８と左右の側壁９を１枚の板状部材によって平面視でコ字状をなすように屈曲形成し、該板状部材の上下に取付ネジ等の取付手段によって、単板で形成した天壁６と底壁７とを着脱自在に組み付ける構成としている。
また図１，図１２で示すように複数の制御盤１を上下に接続するとき、上側の制御盤１の箱体２は、天壁６を無孔の板となし、底壁７は電線を通すことができる通し孔７ａを複数穿設した板を組み付ける。
【００１７】
また下側の制御盤１の箱体２は、天壁６に上記底壁７と同じ通し孔７ａを複数穿設した板として組み付ける。これにより上下に接続される複数の箱体２は、同形状の天壁６と底壁７を通し孔７ａの有無を選択し穴あけ加工をするだけで、他の部材を兼用することができるので、上下に接続される複数の制御盤１を簡単且つ廉価に能率よく製作することができる。
【００１８】
さらに箱体２は電装機器類１３を支持する取付板１４を、後壁８に対向させて複数の取付部材１５によって配線空間Ｓを有し着脱自在に取付固定している。図示例の取付板１４はアルミ板となし電装機器類１３を取付ける表面側の左右に、仕切壁１６を平面視で略コ字状をなす一体的な補強構造で立設している。これにより取付板１４は図８，図１０で示すように、箱体２との間で取付板１４の後部と左右に配線空間Ｓを一連に形成することができ、該配線空間Ｓは太陽で加熱される外壁との断熱空間となり、また内部対流による放熱を促すことができる。
【００１９】
また図１０，図１１で示すように、箱体２内で平面視コ字状をなす周方向に広い配線空間Ｓは、例えば強電流が流れる入力線やモータ用の動力線等による電線と、弱電流が流れる信号線等の制御線とを左右に離間させて纏めた状態で配線することを容易に行うことができる。
さらに右側の配線空間Ｓには電線類を配線しないスペースを利用して、シートシャッタのモータ用として付設される回生抵抗器１７を右側壁９に好適に取付固定することができる。
【００２０】
そして、回生抵抗器１７が取付固定される側壁９の上下には、放熱を促す給排気用の通気口１９を設けている。この構成により回生抵抗器１７が１００度程度に上昇したとしても、該回生抵抗器１７は側壁９に設置されているので、取付板１４への伝熱を防止し且つ発生する加熱気流を通気口１９からスムーズに排出することができる。
【００２１】
また取付板１４は正面側に電装機器類１３の基板２０を取付固定しており、少なくとも電装機器類１３の前面を覆う後述する形状からなる中蓋２１を、基板２０から立設した取付部材２２に着脱自在に取付けている。尚、中蓋２１はその両側を左右の仕切壁１６に取付固定することもできる。
また取付板１４の上部にはブレーカ２３を取付けるブレーカ取付座２４を分割して取付けることにより、例えば電装機器類１３のメンテナンス作業を要するとき、高電圧の入力線が接続されたブレーカ２３及び上記ブレーカ取付座２４を外すことなく、取付具１５の固定を解除し電装機器類１３を取付板１４と共に箱体２から取り外すことができる。
【００２２】
即ち、ブレーカ取付座２４はブレーカ２３を着脱自在に取付ける左右のブレーカ取付面を有して側面視で逆コ字状に形成しており、延長させた他片の取付座を後壁８に固定している。尚、上記取付具１５は両端にネジ穴を形成しており、配線空間Ｓを有した先端に取付板１４を取付ネジ２５によって取付固定している。また図示例の制御盤１は右側に１個のブレーカ２３を取付けているが、例えば複数の制御盤１を上下に接続するような場合には、図１２に示すように下側の制御盤１のブレーカ２３を、上側のブレーカ取付座２４の左側に取付けることができる。
【００２３】
この場合に下側の制御盤１は箱体２を、ブレーカ２３及びブレーカ取付座２４を設置しない分だけ小型を図ることができる利点がある。またブレーカ取付座２４は図８，図９で示すように、ブレーカ２３を電装機器類１３と略同じ高さに設置し、中蓋２１によって電装機器類１３と面一に覆わせることができる。さらにメンテナンス作業時に取付板１４を外すと、ブレーカ取付座２４はブレーカ２３と共に箱体２側に残置させることができる。  尚、上記ブレーカ２３はスイッチの入力側に入力電線を接続し、出力側に中継電線を介し電装機器類１３のコンデンサ１３ａ側の端子に接続している。１３ｂはモータ出力端子である。
【００２４】
この構成において図示例の中蓋２１は、平板の上方で各ブレーカ２３に対応する位置に、スイッチ操作用のブレーカ孔２６を穿設していると共に、右側に蓋３の裏側に取付けられる操作基板２７と電装機器類１３を接続する操作線（ハーネス）を通す配線口２９を穿設している。尚、上記操作基板２７は制御盤１の各種操作スイッチ３０及びカウンタやシートシャッタの運転状態を表示する表示部３１等を備えている。
【００２５】
これにより取付板１４に中蓋２１をセットすると、両者は電装機器類１３の外周を上下方向の通気を妨げることなく囲んで覆うことができる。従って、蓋３が無理に開けられたとしても、電装機器類１３は正面側に露出しないので、部品盗難や破壊等の直接的な加害行為から保護することができる。また蓋３と中蓋２１で形成される空間部は、各種の電線を配線する配線空間となり、この場合に中蓋２１は電装機器類１３との接触を防止すると共に、発生する電線磁場から電装機器類１３を保護することができる。
【００２６】
そして、この第1使用態様に係る実施形態の蓋３は図１，図２，図４に示すように、操作基板２７の各操作スイッチ３０及び表示部３１に対応する位置に各操作窓３２と表示窓３３を穿設しており、各操作窓３２と表示窓３３は保護用の操作シートで覆っている。
上記構成からなる第1使用態様の制御盤１は、箱体２を蓋３によって閉鎖し施錠手段１２で施錠した状態において、蓋３の外側から表示部３１を直接的に視認することができると共に、操作スイッチ３０を操作することができる。
【００２７】
次に図３，図５，図７，図９，図１１を参照し第２使用態様に係る制御盤１について説明する。尚、前記第1使用態様の制御盤１と同様な構成については説明を省略する。この制御盤１は図３，図５で示すように、前記ブレーカ孔２６を形成した中蓋２１に、操作窓３２及び表示窓３３を穿設し、これに対応する箇所に操作基板２７を取付けている。
そして、この蓋３には上記操作窓３２の穴あけ加工を省略し表示窓３３のみを穿設している。これにより制御盤１は蓋３を閉じた状態で、操作基板２７の外部操作を不能にし、表示窓３３を介し表示部３１を間接的に視認することができる。
【００２８】
従って、この構成からなる制御盤１は、施錠手段１２を開錠し蓋３を開ければ操作スイッチ３０を簡単に露出でき、必要な操作を前記第1使用態様のものと同様に行うことができる。また施錠手段１２が施錠された状態で、外部から操作スイッチ３０が不慮に操作されることを防止することができ、制御盤１及びその作業部としてのシートシャッタの保護を図ることができる。
そして、故意や悪意で行われる施錠手段１２の破壊開錠によって蓋３が開放されたとしても、電装機器類１３は中蓋２１及び取付板１４によって覆われたセキュリティの高い防犯構造になっているので、電装機器類１３の破壊及び部品の盗難等の被害防止をすることができる。
【００２９】
以上のように構成される制御盤は、箱体２内で後壁８に配線空間Ｓを有して取付けた取付板１４の前方で、電装機器類１３を覆う中蓋２１を設け、蓋３に操作部３０を設けて電装機器類１３を外部から操作する第1使用態様としての外部操作型の制御盤１を構成することができる。
そして、この制御盤１の中蓋２１に操作部３０を設け、且つ蓋３を操作部３０を有しないものに変更すると、前記第1使用態様の制御盤１の構成部材を大きく変更することなく、穴あけ加工の加減程度の変更によって部品の兼用を促進でき、第２使用態様としてセキュリティの高い内部操作型の制御盤１を簡単且つ廉価に構成することができる。
【００３０】
また電装機器類１３を取付支持する取付板１４の両側に仕切壁１６，１６を立設し、箱体２との間に周方向に広い配線空間Ｓを形成し、且つ仕切壁１６，１６の間に中蓋２１を設けて電装機器類１３を覆うので、電装機器類１３を中蓋２１と取付板１４と両側の仕切壁１６で囲んだ状態で配線空間Ｓを形成することができ、配線空間Ｓ内への各種電線を纏めた振り分け配線を行い易くすることができる。そして、配線空間Ｓ内に配線される電線磁場が電装機器類１３のＣＰＵ等に与える悪影響を防止し、また電装機器類１３の保護を図ることができるセキュリティの高い構造にすることができる。
【図面の簡単な説明】
【００３１】
【図１】本発明に係わる制御盤をシートシャッタに採用した使用例の実施形態を示す斜視図である。
【図２】図１の制御盤の第1使用態様を示す全体斜視図である。
【図３】上記第1使用態様の制御盤の箱体を共通とし、蓋と中蓋を別の形状に変更した第２使用態様を示す斜視図である。
【図４】制御盤の第１使用態様を示す分解斜視図である。
【図５】制御盤の第２使用態様を示す分解斜視図である。
【図６】第１使用態様の制御盤の蓋を開いた構成を示す正面図である。
【図７】第２使用態様の制御盤の蓋を開いた構成を示す正面図である。
【図８】制御盤の第１使用態様の構成を示す側断面図である。
【図９】制御盤の第２使用態様の構成を示す側断面図である。
【図１０】制御盤の第１使用態様の構成を示す平断面図である。
【図１１】制御盤の第２使用態様の構成を示す平断面図である。
【図１２】制御盤を上下に接続し蓋を開けた状態を示す正面図である。
【符号の説明】
【００３２】
１    制御盤
２    箱体
３    蓋
６    天壁
７    底壁
７ａ    通し孔
８    後壁
９    側壁
１１    開口部
１３    電装機器類
１４    取付板
１６    仕切壁
２１    中蓋
２３    ブレーカ
２４    ブレーカ取付座
２６    ブレーカ孔
３０    操作部
【図１】
2008301689.tif 000003
【図２】
2008301689.tif 000004
【図３】
2008301689.tif 000005
【図４】
2008301689.tif 000006
【図５】
2008301689.tif 000007
【図６】
2008301689.tif 000008
【図７】
2008301689.tif 000009
【図８】
2008301689.tif 000010
【図９】
2008301689.tif 000011
【図１０】
2008301689.tif 000012
【図１１】
2008301689.tif 000013
【図１２】
2008301689.tif 000014